(57)【要約】  本発明は、使用中には着用者に対して方向付けられるように意図された液体透過性上面シート（１１２）と、使用中には下着パンツに対して方向付けられるように意図された液体不透過性下面シートとを備える、使用中の肛門領域から泌尿生殖器領域への微生物の移動を妨げる若しくは減少させる、女性が使用する吸収性物品（１１１）に関し、この物品は長手方向と横方向、２つの本質的に長手方向の側端部（１１３、１１４）と１つの本質的に横方向の前端部（１１５）と１つの本質的に横方向の後端部（１１６）、前部分（１１７）、後部分（１１８）、及び後部分（１１８）と前部分（１１７）との間に配置された股部分（１１９）とを有し、股部分（１１９）は中央ライン（１２０）によって前部（１２１）と後部（１２２）とに分割されており、股部分（１１９）は約７〜１２ｃｍの長さを有し、前境界（１２４）、後境界（１２５）、及び２つの側部境界（１２６）を有する少なくとも１つの第１の微生物妨害要素（１２３）又は微生物妨害部位を備え、第１の要素（１２３）又は部位は、使用中は着用者の会陰に対して配置されるように位置付けされて、物品の後端部（１１６）から前端部（１１５）への方向の微生物の移動を防止又は減少し、第１の要素（１２３）は上面シート（１１２）上に構成され、又は第１の部位は上面シート（１１２）の中に組み込まれている。
2009519805.tif 000002
【特許請求の範囲】
【請求項１】
使用中には着用者に対して向けられるように意図された液体透過性上面シート（１１２）と、使用中には下着パンツに対して向けられるように意図された液体不透過性下面シートとを備える、生理用ナプキン、パンティライナー、又は失禁ガードのような女性が使用する吸収性物品（１１１）であって、
該物品は長手方向と横方向、２つの本質的に長手方向の側端辺（１１３、１１４）と、１つの本質的に横方向の前端辺（１１５）と、１つの本質的に横方向の後端辺（１１６）と、前部分（１１７）と、後部分（１１８）と、該後部分（１１８）と前記前部分（１１７）との間に配置された股部分（１１９）とを有し、
該股部分（１１９）は中央線（１２０）によって前部（１２１）と後部（１２２）とに分割されており、
前記股部分（１１９）は約７〜１２ｃｍの長さを有する、女性が使用する吸収性物品において、
前記物品は、前境界（１２４）、後境界（１２５）、及び２つの側部境界（１２６）を有する少なくとも１つの第１の微生物妨害要素（１２３）又は微生物妨害部位を備え、
前記第１の要素（１２３）又は部位は、使用中は着用者の会陰に対して配置されるように位置付けされて、前記物品の前記後端部（１１６）から前記前端部（１１５）への方向の微生物の移動を防止又は減少させ、よって使用中の肛門領域から泌尿生殖器領域への微生物の移動を妨げるか若しくは減少させるように位置づけされ、
前記第１の要素（１２３）が前記上面シート（１１２）上に配置されるか、又は前記第１の部位が前記上面シート（１１２）の中に組み込まれ、
前記第１の要素（１２３）又は部位は、前記第１の要素（１２３）又は部位の前記前境界（１２４）が前記股部分（１１９）の後部（１２２）に位置付けられている、女性が使用する吸収性物品（１１１）。
【請求項２】
使用中には着用者に対して向けられるように意図された液体透過性上面シート（１１２）と、任意に使用中には下着パンツに対して向けられるように意図された液体不透過性下面シートとを備えることを特徴とする女性が使用するための微生物妨害物品（２１１）であって、
該物品（２１１）は長手方向と横方向と、２つの本質的に長手方向の側端辺（２１３、２１４）と、１つの本質的に横方向の前端辺（２１５）と、１つの本質的に横方向の後端辺（２１６）と、前部分（２１７）と、後部分（２１８）とを有し、
該物品（２１１）は、少なくとも１つの第１の微生物妨害要素（２２３）又は部位を備え、前記第１の微生物妨害要素（２２３）又は部位は、前境界（２２４）、後境界（２２５）、及び２つの側部境界（２２６）を有し、
前記第１の要素（１２３）又は部位は、使用中は着用者の会陰に対して配置されるように意図されており、よって前記物品の前記後端部（２１６）から前記前端部（２１５）への方向の微生物の移動を防止又は減少させ、よって使用中の肛門領域から泌尿生殖器領域への微生物の移動を妨げるか若しくは減少させ、
前記第１の要素（２２３）が前記上面シート（２１２）上に配置されるか、又は前記第１の部位が前記上面シート（２１２）の中に組み込まれている、女性が使用するための微生物妨害物品（２１１）。
【請求項３】
前記第１の要素（１２３、２２３）又は部位は、疎水性材料、抗菌剤、及び正に帯電した物質から選択された少なくとも１つを備えることを特徴とする請求項１又は２に記載の物品。
【請求項４】
前記第１の要素（１２３、２２３）又は部位の前記側部境界（１２６、２２６）間の距離は、少なくとも２ｃｍであることを特徴とする請求項１〜３のいずれか一項に記載の物品。
【請求項５】
前記第１の要素（１２３、２２３）又は部位の前記前境界（１２４、２２４）と後境界（１２５、２２５）との間の距離は、少なくとも０．５ｃｍであることを特徴とする請求項１〜４のいずれか一項に記載の物品。
【請求項６】
前記物品は第２の微生物妨害要素（３２９）又は部位を備え、該第２の微生物妨害要素（３２９）又は部位は前境界（３３０）、後境界（３３１）、及び２つの側部境界（３３２、３３３）を有し、
前記第２の微生物妨害要素（３２９）又は部位は、前記第１の要素（３２３）又は部位の前記後境界から後方に延在していることを特徴とする請求項１〜５のいずれか一項に記載の物品。
【請求項７】
前記第１の要素（３２３）又は部位は疎水性剤又は正に帯電した物質を備え、前記第２の要素（３２９）又は部位は抗菌剤を備えていることを特徴とする請求項６に記載の物品。
【請求項８】
前記下部シートは、使用中には使用者の下着パンツに面する、接着剤の形状の取り付け装置を備えていることを特徴とする請求項１〜７のいずれか一項に記載の物品。
【請求項９】
前記横方向後端辺（２１６）と前記横方向前端辺（２１５）との間の距離は、２ｃｍ〜６ｃｍであり、前記長手方向側端辺（２１３、２１４）の間の距離は、３〜５ｃｍであることを特徴とする請求項２に記載の物品。
【請求項１０】
前記第１の要素（２２３）又は部位は前記物品（２１１）の前記前部分（２１７）に位置されていることを特徴とする請求項２又は請求項９に記載の物品。
【請求項１１】
前記物品は、前記上面シートの全体又は一部分を覆う接着剤又は接着性の薬剤の形状の、上面シート上の取り付け装置を備え、前記取り付け装置は、使用中には前記物品を着用者の皮膚に取り付けるように意図されていることを特徴とする請求項２、９、又は１０のいずれか一項に記載の物品。
【請求項１２】
前記物品は、前記物品の長手方向中央に折りたたみ部分を備え、よって前記物品の上面シート側に折りたたみ部分によってこぶ部が形成されることを特徴とする請求項２、又は９〜１１のいずれか一項に記載の物品。
【請求項１３】
前記第１の要素（１２３）又は部位は、前記股部分（１１９）の中央線（１２０）の後約０．５ｃｍ〜３ｃｍに位置されていることを特徴とする請求項１に記載の物品。
【請求項１４】
前記物品は、前記上面シートと前記下面シートとの間に吸収性層をさらに備えることを特徴とする請求項１、１２、又は１３のいずれか一項に記載の物品。
【請求項１５】
第３の微生物妨害要素（６５０）が前記吸収性層（６５３）中に配置されていることを特徴とする請求項１４に記載の物品。
【請求項１６】
前記第３の要素（６５０）は、前記吸収性物品の前記長手方向側端辺の間に延在するとともに、前記上面シート（６１２）と前記下面シート（６５２）との間に垂直に延在するフィルム又は繊維層であることを特徴とする請求項１５に記載の物品。
【請求項１７】
マーキングが、前記第１の要素（１２３）又は部位が設けられた前記上面シート（１１２）上に絵の形、又は色付けの形で設けられていることを特徴とする請求項１又は１２〜１６のいずれか一項に記載の物品。
【請求項１８】
絵の形、又は色付けの形のマーキングが、前記物品の前記第１の要素（１２３）又は部位を着用者の会陰に位置決めするように、前記下面シート状の着用者とは反対の側に面して、前記上面シート（１１２）の前記第１の要素（１２３）又は部位に対する位置に設けられていることを特徴とする請求項１又は１２〜１６のいずれか一項に記載の物品。
【請求項１９】
前記物品は、使用中に着用者の泌尿生殖器領域に接する領域の少なくとも一部に、細菌を生成する乳酸を備えていることを特徴とする請求項１又は１２〜１８のいずれか一項に記載の物品。
【請求項２０】
細菌を生成する乳酸を備える前記領域の一部は、前記股部分の前記中央線の前にあることを特徴とする請求項１９に記載の物品。
【請求項２１】
肛門領域から泌尿生殖器領域への微生物の移動を防止するか、又は軽減するためのキットであって、
ａ．生理用ナプキン、パンティライナー、又は失禁ガードのような吸収性物品であって、使用中には着用者に対して方向付けられる液体透過性の上面シートと、使用中には着用者の下着パンツに対して方向付けられるように意図される液体不透過性の下面シートとを備え、長手方向と横方向と、２つの本質的に長手方向の側端辺と、１つの本質的に横方向の前端辺と、１つの本質的に横方向の後端辺と、前部分と、後部分と、前記後部分と前記前部分との間に配置された股部分とを有し、該股部分は中央線によって前部と後部とに分割されており、前記股部分は約７〜１２ｃｍの長さを有し、前記吸収性物品は請求項２〜１２のいずれか一項による微生物妨害物品を位置合わせするためを意図された上面シート上のマーキングを有し、よって前記第１の要素又は部位は使用中には着用者の会陰に対して配置されて、前記物品の後端部から前端部への方向における微生物の移動を防止するか又は減少させる、吸収性物品と、
ｂ．請求項２〜１２に記載のいずれか一項に記載の微生物妨害物品であって、吸収性物品の上面シートに取り付けられるように設計され、よって第１の要素又は部位の前境界は使用中に着用者の会陰に対して配置される、微生物妨害物品と、
を備えているキット。
【請求項２２】
使用中に肛門領域から泌尿生殖器領域への微生物の移動を防止するか、又は軽減するためのキットであって、
ａ．生理用ナプキン、パンティライナー、又は失禁ガードのような吸収性物品であって、使用中には着用者に対して方向付けられる液体透過性の上面シートと、使用中には着用者の下着パンツに対して方向付けられるように意図される液体不透過性の下面シートとを備え、長手方向と横方向と、２つの本質的に長手方向の側端辺と、１つの本質的に横方向の前端辺と、１つの本質的に横方向の後端辺と、前部分と、後部分と、前記後部分と前記前部分との間に配置された股部分とを有し、該股部分は中央線によって前部と後部とに分割されており、股部分は約７〜１２ｃｍの長さを有し、前記吸収性物品はマーキングを有し、該マーキングは前境界と後境界と２つの側部境界とを有する、吸収物品であって、
前記マーキングは使用中に着用者の会陰に対して配置されるように位置し、前記マーキングは微生物の移動を防止するか、又は減少させるための成分を提供するように意図されている、吸収性物品と、
ｂ．微生物の移動を防止するか、又は減少させるための成分であって、疎水性剤及び抗菌剤、又はこれら物質の混合物から選択された物質を備える、微生物の移動を防止するか、又は減少させるための成分と、
ｃ．前記吸収性物品の上面シート上のマーキングに前記成分を提供するための、綿芽状突起、ブラシ、又はペグのような手段であって、前記吸収性物品の上面シート上のマーキングに前記成分を提供するための手段と、
を備えているキット。
【発明の詳細な説明】
【技術分野】
【０００１】
本発明は、泌尿生殖器の感染症を防止するための、微生物妨害要素又は部位を備える、女性が使用する吸収性物品及び微生物妨害物品に関する。
【背景技術】
【０００２】
泌尿生殖器領域における感染症は、多くの人が冒される問題である。肛門の中及び周りには、多くの種類の微生物がいる。泌尿生殖器領域における多くの感染症に対する１つの理由が、その人自身の腸領域からの微生物が肛門から会陰を介して泌尿生殖器領域へ広がり、そこで感染症を引き起こすことであると知られている。
【０００３】
通常、生態学的平衡は、皮膚上の異なる微生物と粘膜との間に拡がっており、通常の微生物フロラは望ましくない微生物の定着を防止することにおいて非常に重要である。しかし、この自然の防止システムは不十分である場合があり、例えば薬物治療、不衛生、皮膚の変化、粘膜の変化、及び吸収性物品の長期使用に関係して、潜在的に病原性微生物が定着し、感染するように妨害される場合がある。
【０００４】
泌尿生殖器領域における感染症にかかる危険に関して、肛門から尿道口及び膣までの短い距離の故に、女性は男性より大きな危険を有している。規則的な交換を伴わない物品の長期の使用又は損なわれた免疫的な防御と結合された貧弱な衛生状態は、微生物の拡大に対する危険を実質的に増加させる場合がある。さらに、ピッタリとした衣服及び下着は、微生物の移動の危険を増加させる場合がある。ほとんどの女性における微生物の密度は、健康な女性の外陰部環境におけるかなり良い通常レベル内にある。密度はたいていの場合、潜在的に黄色ブドウ球菌（Ｓ．ａｕｒｅｕｓ）、大腸菌（Ｅ．ｃｏｌｉ）、及びカンジダ．アルビカンス（Ｃ．  ａｌｂｉｃａｎｓ）のような病原性種に対しては低い。しかし、望ましくない種が存在する場合に、たとえそれが少数であっても、ある状況においては微生物が多数に成長する可能性がある。
【０００５】
泌尿生殖器領域における感染症に対する予防の本質的部分は、高められた個人的な衛生である。しかし、生殖器及び下腹部を強い石鹸又は殺菌性物質で洗浄するとしても不十分である場合があり、よって個人が既存の手段によって十分なレベルまで感染症の危険を減少させることは困難である場合がある。女性が女性用物品を適時に交換することが困難である場合がある。また、女性用物品の長時間の使用は、微生物が物品中に増えることによって、感染症に対する危険を増加させる場合がある。密閉性及び温度は物品中及び、使用者の皮膚及び粘膜上の微生物の成長を促進する場合がある。
【０００６】
伝統的に、前述の問題は、結果的な感染症の既存の抗菌剤による処置によって取り組まれてきた。しかし、抗菌剤による頻繁な処置は耐性菌株を発生させる場合があり、新しい感染症の連続した処置を非常に困難にする場合がある。抗菌剤治療に伴うさらなる問題は、多くの人が抗菌剤に対して過敏であることである。さらに、抗菌剤は、皮膚及び膣の有益なフロラに対してもまた有害であり、容易に再感染を引き起こす。
【０００７】
上述のように、前述の問題を取り扱う伝統的な方法は、患者を既存の抗菌剤で治療することである。
【０００８】
また、乳酸菌の病原菌に対する抑制効果の故に乳酸菌を使用することが提案されている。このような乳酸菌の使用は、皮膚及び粘膜上の感染症の発生を軽減することがわかってきた。特許文献１は、例えば乳酸菌を生成する菌を設けられた吸収性物品の使用について記載している。細菌性細胞は使用者の皮膚に移動し、泌尿生殖器領域及び皮膚上における細菌による感染症を予防し処置する。
【０００９】
特許文献２は、乳酸菌を有する吸収性製品を開示し、菌は使用者の皮膚に移動するように配置され、微生物の望ましくない株に対する生活条件を害する。
【００１０】
さらに、特許文献３は、泌尿生殖器感染症を処置し予防するための成分を教唆している。この成分はシリンジ状のアプリケータ又はタンポンによる哺乳類の膣に対して役立つ。
【００１１】
特許文献４は、泌尿器官の感染症を予防するために添加された微生物を有するタンポンをさらに開示している。
【００１２】
泌尿器感染症を予防するための、膣に挿入されるタンポン又はアプリケータの使用は、人によっては扱いにくいと考える場合がある。乳酸菌は保管中の特殊な保護を必要とする。よって、この問題に対するより安定な解決法が好ましい。
【特許文献１】国際公開第２００４／１０５８２２号パンフレット
【特許文献２】欧州特許第１０３２４３４号明細書
【特許文献３】米国特許出願公開第２００４／１０９２６４２号明細書
【特許文献４】国際公開第９７／０２８４６号パンフレット
【特許文献５】国際公開第２００４／０６２７０３号パンフレット
【特許文献６】国際公開第００／３１１５０号パンフレット
【特許文献７】米国特許出願公開第２００４／００４７９７９号明細書
【特許文献８】欧州特許出願公開第４５６４６７号明細書
【特許文献９】米国特許第３９９８６９０号明細書
【特許文献１０】欧州特許第１５８３５６７号明細書
【特許文献１１】国際公開第０２／０８７４８３号パンフレット
【発明の開示】
【発明が解決しようとする課題】
【００１３】
導入部において論じたように、泌尿器領域の望ましくない種の存在は、たとえそれが少数であっても、病原性微生物が所定の状況において多数に成長する可能性を生成する。よって、微生物が肛門から泌尿器領域に移動することを妨げる、微生物妨害物品に対する必要性がある。本発明は、これら問題を解決するように意図されている。
【００１４】
本発明の有する目的は、生理用ナプキン、パンティライナー、又は失禁ガードのような女性が使用するための吸収性物品、又は女性が使用するための微生物妨害物品を提供することであり、この物品は、肛門領域から泌尿生殖器領域への微生物の移動を予防し減少させることによる泌尿生殖器領域の感染症に対する危険を予防的に削減する。
【課題を解決するための手段】
【００１５】
これは、女性が使用するための吸収性物品による本発明によって達成され、この吸収性物品は少なくとも１つの第１の微生物妨害要素又は部位を備え、物品の後端部から前端部への方向における肛門領域から泌尿生殖器領域への微生物の移動を防止し又は減少させる。
【００１６】
また、本発明は、女性が使用するための微生物妨害物品に関し、少なくとも１つの第１の微生物妨害要素又は部位を備え、物品の後端部から前端部への方向における肛門領域から泌尿生殖器領域への微生物の移動を防止し又は減少させる。
【００１７】
さらに、本発明は、ａ）生理用ナプキン、パンティライナー、又は失禁ガードのような吸収性物品と、ｂ）第１の微生物妨害要素又は部位を備える微生物妨害物品と、を備えるキットに関する。
【００１８】
さらに、本発明は、ａ）表面シートに印を有する生理用ナプキン、パンティライナー、又は失禁ガードのような吸収性物品と、ｂ）微生物の移動を予防する、又は減少させる成分と、ｃ）この成分を表面シート上の印の上に適用するための手段と、を備えるキットに関する。
【００１９】
吸収性物品及び微生物妨害物品は、第１の要素又は部位が使用中に着用者の会陰に対して配置され、よって会陰の皮膚を介する肛門領域から泌尿生殖器領域への微生物の移動が予防され、又は減少されるように使用されることを意図されている。
【発明を実施するための最良の形態】
【００２０】
３桁の数字の参照符号によって示された特徴に対して、同じ下２桁の数字は同様の部分に対して使用されているが、上１桁の数字は図によって異なっている。参照符号は全ての図に示されているわけではなく、対応する部分は別の図に示されている場合がある。
【００２１】
本発明をさらに説明するために、図１を参照する。図１は、人間の女性の生殖器を示す解剖学的断面図である。外部泌尿器管１、膣２、及び肛門３が示されている。会陰４は肛門３と膣２との間に位置している。点Ａ及びＢが示され、それぞれ会陰領域の前部と後部とに対応している。肛門３と膣２との間、すなわちＡとＢとの間の距離は、女性においては約１〜４ｃｍである。肛門領域からの微生物は、肛門３から会陰４を越え、すなわちＢからＡへ移動することができ、その後泌尿生殖領域、すなわち膣２と泌尿器管１とへ達する。このような微生物の移動は、所定の環境の下では泌尿器管感染症及び／又は膣感染症を引き起こす。本発明の目的は、微生物が肛門３から会陰４を越えて泌尿生殖器領域へ移動することを妨げることを通じて、このような移動を回避することによって感染症の危険を減少させることである。これは、吸収性物品又は微生物妨害物品によって達成され、これら吸収性物品又は微生物妨害物品は女性の身体にフィットするように適用されている。
【００２２】
本発明は、生理用ナプキン、パンティライナー、又は失禁ガードのような女性が使用するための吸収性物品１１１に関し、図２には生理用ナプキンが示されており、この生理ナプキンは使用中に、肛門領域から泌尿生殖器領域への微生物の移動を妨げるか、又は減少させる。この生理ナプキンは、使用中に着用者に対して方向付けられるように意図された液体透過性の上面シート１１２と、使用中に着用者の下着に対して方向付けられるように意図された（図示されない）液体不透過性の下面シートとを備えている。この物品は長手方向及び横方向と、２つの本質的に長手方向の側端辺１１３、１１４と、１つの本質的に横方向の前端辺１１５と、１つの本質的に横方向の後端辺１１６と、前部分１１７と、後部分１１８と、後部分１１８と前部分１１７との間に配置された股部分１１９とを有し、この股部分１１９は、中央ライン１２０によって前部１２１と後部１２２に分割され、股部分１１９は約７〜１２ｃｍの長さを有している。この物品は少なくとも１つの第１の微生物妨害要素１２３又は部位を備え、この第１の微生物妨害要素１２３又は部位は前部境界１２４、後部境界１２５、及び２つの側部境界１２６を有し、第１の微生物妨害要素１２３又は部位は使用中に着用者の会陰に対して配置されるように位置づけられて物品の後端辺１１６から前端辺１１５の方向への微生物の移動を防止するか、又は減少させる。第１の微生物妨害要素１２３が上面シート１１２上に配置されているか、又は第１の部位が上面シート１１２の中に組み込まれている。さらに、第１の要素１２３又は部位は、第１の要素１２３又は部位の前部境界１２４が股部分１１９の後部分１２２に位置するように配置されている。１つの実施形態によれば、第１の要素１２３又は部位の前部境界１２４は、中央ライン１２０の後約０．５〜３ｃｍに位置している。第１の要素１２３は図に示されている。第１の部位は図を上から見たときに同じ場所に位置づけられている。
【００２３】
股部分１１９を図示するために、股部分１１９の前部境界１２７及び後部境界１２８は破線によって示されている。さらに、股部分１１９は中央ライン１２０によって分割され、股部分１１９の前部分１２１と後部分１２２との間の境界を示している。中央ライン１２０は本質的に股部分１１９の中央に配置されている。物品の第１の要素１２３又は部位の配置は、物品がどのように着用者に対して位置されるかに依存する。着用者への位置決めはどのような製品に関するものなのかによって変わる。しかし、股部分は常に着用者の股に対して配置されるように意図され、第１の要素又は部位は常に会陰に対して配置されるべきである。さらに、点Ａ、Ｂ、Ｃもまた、図１における点に対応して印をつけられている。これは、第１の要素又は部位がＡとＢとの間に、すなわち会陰上に位置されるように意図されていることを示している。
【００２４】
本発明による吸収性物品は、上面シートと下面シートとの間に吸収層をさらに備えている。吸収層は、綿繊維又はピートのような別の自然材を使用することもできるが、好ましくはセルロース繊維から構成されている。代替的に、吸収性合成繊維又は自然繊維と構成繊維との混合物を使用することもできる。また、吸収層はオープンセル発泡材を備えることができる。また、吸収層は超吸収剤、すなわちそれ自身の重量の数倍に対応する量の液体を吸収することができるポリマーを含むことができる。さらに、吸収層は、ゼオライト、シリカ、活性炭、及び乳酸菌のような臭い抑制添加物を含むことができる。既存の材料が吸収性物品の仮面シート及び上面シートに使用される。
【００２５】
さらに、本発明は図３に示されている、使用中の肛門領域から泌尿生殖器領域への微生物の移動を妨げるか、又は減少させるための、女性が使用するための微生物妨害物品に関し、使用中に着用者に対して方向付けられるように意図された液体透過性の上面シート２１２と、使用中に着用者の下着に対して方向付けられるように意図された（図示されない）任意的な下面シートとを備え、この物品２１１は、長手方向及び横方向と、２つの本質的に長手方向の側端辺２１３、２１４と、１つの本質的に横方向の前端辺２１５と、１つの本質的に横方向の後端辺２１６と、前部分２１７と、後部分２１８とを有し、少なくとも１つの第１の微生物妨害要素２２３又は部位を備え、この第１の微生物妨害要素１２３又は部位は前部境界２２４、後部境界２２５、及び２つの側部境界２２６を有し、第１の微生物妨害要素１２３又は部位は使用中に着用者の会陰に対して配置されるように位置づけられて物品の後端辺２１６から前端辺２１５の方向への微生物の移動を防止するか、又は減少させ、第１の要素２２３は上面シート２１２上に配置されているか、又は第１の部位が上面シート２１２の中に組み込まれている。前部分２１７と後部分２１８とは中央ライン２３０によって分割されている。１つの実施形態によれば、第１の要素２２３又は部位は物品の前部分２１７中に配置されている。
【００２６】
境界Ａ、Ｂ、及びＣもまた図３に示されており、これらは図１中の点Ａ、Ｂ、及びＣに対応している。これらは、第１の要素２２３又は部位を会陰４に位置合わせするために、微生物妨害物品がどのように着用者に対して配置されるべきであるかを図示するために使用されている。本発明による微生物妨害物品２１１では、横方向の前端辺２１５が膣２のすぐ後の点Ａに配置されるべきである。第１の要素２２３又は部位は、次いで会陰に対して配置され、よって微生物が肛門から泌尿生殖器領域、すなわち膣２及び泌尿器１に向かって、物品の後部分２１６から前部分２１５への方向に通過しないように防止している。また、境界Ｃは図３中の物品に示されているが、物品が肛門領域まで延在する必要はない。微生物妨害物品は女性が容易に使用できるように設計されており、使用者は、物品を膣２のすぐ後ろにいかにして配置するのかを感じることによって、会陰に対して物品を適用することができる。よって、この女性のための新しい物品の新規性にもかかわらず、この物品は実際に容易に使用できる。この物品は小さく、会陰領域内に位置されるべきであり、また任意に会陰の後ろに拡張部を有することができる。
【００２７】
上面シート２１２は、好ましくは柔らかく肌にやさしい材料からなっている。この上面シート２１２は、異なるタイプの不織材を備えることができる。この観点における代替的材料は有孔のプラスティックフィルム、プラスティックの網、棒針編みされたもの、鉤針編みされたもの、低密度のエアレイドのもの、ティッシュ、編まれた材料、又は発泡材、及びこれらのタイプの材料の組み合わせ及び積層体である。プラスティックは熱可塑性とすることができ、例えばポリエチレン（ＰＥ）とすることができる。不織材はセルロース又は綿のような自然繊維を備えることができるが、代替的にポリエチレン（ＰＥ）、ポリプロピレン（ＰＰ）、ポリウレタン（ＰＵ）、ポリエステル、ナイロン、又は再生セルロース、又は異なる繊維の混合物とすることができる。生理用ナプキン、パンティライナー、又は失禁ガードのような吸収性物品における液体透過性外側シートを提供するために使用される全ての材料は、上面シート２１２のために使用することができ、前述の材料が単に例示の方法で与えられているということが理解される。また、これら材料は本発明による吸収性物品における上面シートのために使用することができる。
【００２８】
液体不透過性の下部シートは、可撓性材料、好ましくはポリエチレン（ＰＥ）、ポリプロピレン（ＰＰ）、又はポリエステルの薄いフィルムから構成することができるが、液体不透過性の材料との不織材の積層体を備えることもできる。吸収性物品のための液体不透過性の下部シートを製造するために通常使用される全ての材料を使用することができる。下部シートは好都合に通気性とすることができる。さらに、これら材  料もまた、吸収性物品の下部シートに使用することができる。
【００２９】
微生物妨害物品においては、上面シートは吸収性物品に使用される種類のものとすることができ、また、下部シートは吸収性物品に使用される従来の下部シートによるものとすることができる。微生物妨害物品における、横方向端辺２１５、２１６の間の距離は、２ｃｍ〜６ｃｍであり、長手方向端部２１３、２１４の間の距離は、３ｃｍ〜５ｃｍである。図３における微生物妨害物品においては、前部横方向端辺２１５は後部横方向端辺２１６より短い。この設計は、女性の体に適合する。しかし、物品がこの形状を有することは必須ではない。物品が対称である場合には、物品は、物品のどの部分が前部又は後部であるかを簡単明瞭に示し、よって使用者が物品を会陰に正しく位置合わせすることを可能にすることが好ましい。第１の妨害要素又は部位は、マーキング又は色付けによって上面シート状に示すことができ、よってどのように物品を使用するかは明瞭である。
【００３０】
本発明による微生物妨害物品又は吸収性物品の使用は、物品が配置され、第１の要素又は部位が着用者の会陰に対して位置づけられた場合に、微生物が肛門３から泌尿生殖器領域へと移動するのを妨げるという効果を有している。物品と会陰との間の緊密な物理的接触を通じて、微生物抑制の遮蔽が会陰の皮膚上に形成される。このように、第１の要素又は部位は、肛門領域から泌尿生殖器領域への、物品の後端辺から前部端辺への方向への微生物の移動を妨げるか、又は減少させる。微生物の移動に対する遮蔽は、物品の第１の要素又は部位と会陰の皮膚との間の緊密な接触によってか、又は第１の要素又は部位からの物質の移動によって形成することができ、よって会陰の皮膚上に遮蔽部を生成する。肛門から泌尿生殖器領域への微生物の移動は、よって減少されるか、又は妨げられる。これは、さらに後述される。
【００３１】
“物品”という表現が単独で使用される場合には、それは微生物妨害物品及び吸収性物品の両方を包含するように意図されている。いくつかの特定の実施形態においては、どの特定の物品が記載されているかを明瞭にしている。第１の要素又は部位は、微生物妨害物品と吸収性物品との両方において同じ方法で設計されるが、物品それ自体は別々に設計される。本発明によれば、第１の要素又は部位は、疎水性材料、抗菌剤、及び正に帯電した材料のうちの１つ以上から選択された材料を備えている。
【００３２】
本発明の１つの実施形態においては、第１の要素又は部位は疎水性材料を備えている。このような材料は、例えば上面シート上にコーティングを施されたもの、又は上面シート中に組み込まれたものとすることができる。材料が組み込まれている場合には、妨害剤は上面シートの所定の部位中に備えられていると考えられる。疎水性材料が上面シート上に適用されている場合には、材料は上面シート上に配置された要素中に備えられていると考えられる。
【００３３】
疎水性材料が第１の要素又は部位に使用されている場合には、疎水性材料は、着用者の皮膚に移動することができ、よって皮膚及び物品上において微生物の移動を妨害するように作用することができる。疎水性材料は、材料は着用者の皮膚に好適な方法で移動できるように選択されるべきである。疎水性材料は、約３０度〜３２℃において半固体とすることができる。さらに、疎水性材料は約３４℃まで半固体であってよい。材料が室温において半固体である場合には、その移動は物品が使用されていないときに最小化される。上面シートを通じた液体の取り入れは疎水性材料によって減少されるか、又は妨げられる場合があるので、材料が上面シート上において移動しないことが重要である。また、吸収能力が減少する方向に影響されるので、材料は吸収性物品中においてさらに下へ移動しないことが重要である。第１の要素又は部位と着用者の皮膚との間の密接な接触があるか、又は第１の要素又は部位からの材料が皮膚に移動することによって、肛門領域から泌尿生殖器領域への微生物の移動が防止されるか、又は減少されることが特に重要である。
【００３４】
材料は、皮膚に移動することは重要であるが、皮膚上又は物品上を流れることがあってはならない。流体材料は、意図されない場所へ移動する、着用者から流れ落ちる、又は物品上に拡がる場合があり、流体材料が物品上に拡がることは、上面シートの液体取り入れ及び吸収性層の吸収能力に関して欠点となる。したがって、材料は、流れ落ちないように適切な粘度を有するべきである。好適な粘度は、３５℃において５〜１５ＰａＳである。これを測定する方法は、１度／ｍｉｎの昇温速度、９．２５ｓ−１のせん断速度、及び２０〜５０度の測定範囲で行われる。
【００３５】
疎水性材料は９０度より大きい濡れ角度を有し、実質的に水分を含有しないようにすべきである。材料は、リピド、脂肪アルコール、脂肪酸エステル、多価アルコール、複合リピド、ワックス、及びポリシロキサン、そしてこれらの混合物から選択することができる。リピドは、例えばパラフィン又はトリグリセリドとすることができる。パラフィンの例はパラフィン油又は鉱油である。トリグリセリドの例は、精製された及び／又は水和された、好ましくはＣ−１８以下の炭素鎖の長さを有する（例えば、乳脂肪、ココナツ油  Ｃｏｃｏｕｓ  ｎｏｃｉｆｅｒａ、パーム−カーネル油  Ｅｌａｅｉｓ  ｇｕｉｎｅｅｉｓ）、動物又は植物由来のトリグリセリド、不飽和のＣ−１８脂肪酸を有する（例えば、和ろう  Ｒｈｕｓ  ｓｕｃｃｅｓｄａｎｅｓ、獣脂、小豆油  Ｇｌｙｃｅｒｉｎ  ｓｏｙａ、ピーナッツ油  Ａｒａｃｈａｉｓ  ｈｙｐｏｇａｅａ、とうもろこし油  Ｚｅａ  ｍａｙｓ、ひまわり油  Ｈｅｌａｎｔｈｕｓ  ａｎｎｕｓ、グレープシード油  Ｖｉｔｉｓ  ｖｉｎｉｆｅｒａ、サフラワー油  Ｃａｒｔｈａｍｕｓ  ｔｉｎｃｔｏｒｉｕｓ、スイートアーモンド油  Ｐｒｕｎｎｕｓ  ａｍｙｇｄａｌｕｓ  ｄｕｌｃｉｓ、ヘーゼルナッツ油  Ｃｏｒｙｌｕｓ  ａｍｅｒｉｃａｎａ、胡桃油  Ｊｕｇｌａｎｓ  ｒｅｇｉａ、オリーブ油  Ｏｌｅａ  ｅｕｒｏｐａｓａ、アボカド油  Ｐｅｒｓｅａ  ｇｒａｔｉｓｓｉｍａ、ごま油  Ｓｅｓａｍｕｍ  ｉｎｄｉｃｕｍ、トール油、タロール（Ｔａｌｌｏｌ）、綿種油  Ｇｏｐｓｓｙｐｉｕｍ、パーム油  Ｅｌａｅｓｉｓ  ｇｕｉｎｅｅｎｓｉｓ、米油  Ｏｒｙｚａ  ｓａｔｉｖａ、アブラナ油  Ｃａｎｏｌａ、アプリコット−カーネル油  Ｐｒｕｎｕｓ  ａｒｍｅｎｉａｃａ、ココアバター  Ｔｈｅｏｂｒｏｍａ  ｃａｏ、シアバター  Ｂｕｔｙｒｏｓｐｅｒｍｕｍ  ｐａｒｋｉｉ、ワットシードオイル（ｗｈａｔｓｅｅｄ  ｏｉｌ）Ｔｒｉｔｉｃｕｍ  ｖｕｌｇａｒｅ、Ｂａｓｓｉａ  ｌａｔｉｆｏｌａ）動物又は野菜由来のトリグリセリド、又はＣ−１８を越える炭素鎖を有する（例えば蜜蝋  Ｃｅｒａ  ａｌｂａ、シェラックワックス  Ｓｈｅｌｌａｃ  ｃｅｒａ、メドウフォームシードオイル  Ｌｉｍｎａｎｔｈｅｓ  ａｌｂａ、アブラナ油  Ｂｒａｓｓｉｃａ  ｃａｐｍｅｓｔｒｉｓ、きゅうりの種油Ｂｏｒａｇｏ  ｏｆｆｉｃｉｎａｌｉｓ、アマニ油  Ｌｉｎｕｍ  ｕｓｉｔａｔｉｓｓｉｍｕｍ、リシン油  Ｒｉｃｉｎｕｓ  ｃｏｍｍｕｎｉｓ、くわがたそう油  Ｖｅｒｏｎｉａ  ｇａｌａｍｅｎｓｉｓ、ホホバ油  Ｂｕｘｕｓ  ｃｈｉｎｅｎｓｉｓ、蝋燭油  Ｅｕｐｈｏｒｂｉａ  ｃｅｒａ、オンゴケア油（（ｏｎｇｏｋｅａ  ｏｉｌ）Ｏｎｇｏｋｅａ  ｇｏｒｅ）である。
【００３６】
脂肪アルコールは、１２〜３２炭素の炭素鎖長の直鎖又は分岐鎖の中から選択することができる。例はセティルアルコール又はステアリルアルコールである。脂肪酸エステルは、１２〜３２の炭素を有することができ、例えばメチルパルミテート、メチルステアレート、イソプロピルマイリステート、イソプロピルラウレート、イソプロピルパルミテート、イソプロピルステアレート、オクチルパルミテート、オクチルステアレート、マタハオクチルラウレートの中から選択することができる。多価のアルコールは、例えば糖アルコール又はポリグリセロールから選択することができる。複合リピドの例は、フォスフォリピド又はスフィンゴリピド（セラミド）である。ワックスは動物由来のものとすることができ、例えば蜜蝋又はラノリンから選択することができる。ワックスはミネラル由来のものとすることができ、オゾセライト又はセレシンから選択することができる。さらに、ワックスは、例えばカルナバ又はカンデリラといった植物由来のものとすることができる。ポリシロキサンは直鎖、分岐鎖、又は環状とすることができ、例えばポリジメチルシロキサン（ジメチコーン）又はポリジエチルシロキサンから選択することができる。
【００３７】
疎水性材料は、いずれの好適な形態で適用することもできる。それは、スプレー、スロットコーティング、又は印刷によって適用することができる。さらに、材料は上面シートに含浸させるか、又は浸透させることができる。また、材料はビーズの形状で適用することができる。上述のように、材料は第１の要素又は部位に備えられている。部位は上面シートの一部分と考えられ、要素は上面シートに適用された別の部分と考えられる。部位は、上面シート中に疎水性材料を溶着すること、又は所定の別の好適な方法によって適用することができる。
【００３８】
疎水性材料の濃度は、処理された領域では０．１〜１００ｇ／ｍ２、又は本発明による別の形態においては１０〜１００ｇ／ｍ２とすることができる。
【００３９】
肛門からの微生物は、第１の要素又は部位が着用者の皮膚に密接に接触した状態では、肛門から会陰を超えて移動することができない。既述のように、微生物の移動は物品上において、及び特に着用者の皮膚上において防止される。疎水性材料は、微生物が肛門領域から泌尿生殖器領域へ、すなわち、図２及び図３に矢印で示される、前方方向へ移動するのを防止するか、又は減少させる。微生物は使用中に、着用者の皮膚上及び微生物妨害物品上の両方を、又は吸収性物品上若しくは微生物妨害物品上のみを、又は皮膚上のみを移動しないように防止される。しかし、移動が会陰の皮膚上において防止されるか又は軽減されることが好ましい。
【００４０】
疎水性材料が、細菌のような微生物に対する妨害媒体として作用する理由は、細菌が疎水性材料に付着してしまうことであると信じられている。多くの細菌、特に多くの病原性細菌は細胞壁に疎水性領域を有するか、及び／又は細胞壁に疎水性の突起（線毛（ｐｉｌｌｉ、ｆｉｍｂｒｉａｃｅ）等）を有し、よって疎水性表面に強固に付着する。したがって、細菌は使用中に会陰上に位置された第１の要素又は部位を通過しない。肛門領域からの細菌は、通常は会陰に向かって拡がることができる。本発明による物品を使用する場合には、泌尿生殖器領域に向かって移動する大多数の細菌は、第１の要素又は部位に到達することができ、そこで第１の微生物妨害要素又は部位中の材料によって捕捉される。また、細菌は、着用者の皮膚に移動した第１の要素又は部位からの材料によって捕捉することができる。
【００４１】
別の実施形態によれば、第１の要素又は部位は抗菌剤を備えている。抗菌剤は、キトサン、金属酸化物、銀及び銀塩、銅及び銅塩のような金属又は金属塩、銅アセテート、第４位アンモニア塩、クロルヘキシジン、パラベン（メチル、エチル、及びプロピル）、ｐＨ緩衝材、ジソディウムエチレンジアミノテトラアセチクアシッド（ＥＤＴＡ）、及び他のキレート剤、クロルヘキシジンジグルコネート、アモロルフィン（ａｍｏｒｏｌｆｉｎ）、バシトラシン、塩化ベンズアルコニウム、塩化ベンゼトニウム（ｂｅｎｚｅｔｏｎｉｕｍ  ｃｈｌｏｒｉｄｅ）、セトリミド、フシジン酸、ゲンチアナ・バイオレット（塩化メチルロザニリン）、ヘキサアクロロフェン、ヘキシルレゾルキノール、イミダゾール誘導体（例えばビフォナゾール、エコナゾール、ケトコナゾール、クロトリマゾール、ミコナゾール）、ナイスタチン、ポビドンヨード、ヨウ素及びヨードフォア、テルビナフィン、トリクロサン、過酸化水素水、又はハロゲン化したフェニレン化合物から選択することができる。また、抗菌剤は酸性材料、すなわち低いｐＨ値を有する材料であり、ｐＨ制御剤とも呼ばれる材料とすることができる。ｐＨ制御剤は、クエン酸、アジピン酸、アゼライン酸、マレイン酸、酒石酸、グルコン酸、グルタル酸、レブリン酸、グリコール酸、琥珀酸、フマル酸、ピメリン酸、スベリン酸、セバシン酸、クエン酸ナトリウム及びリン酸塩、カルボキシメチルセルロース、酸化されたセルロース、サルフォエチルセルローサ及びフォキシフォリレーテドセルロース（ｐｈｏｘｙｐｈｏｒｙｌａｔｅｄ  ｃｅｌｌｕｌｏｓｅ）から選択することができる。抗菌剤は上面シート上にコーティングすることができ、又は上面シート中に組み込むことができ、又はいずれかの好適な方法で上面シートに適用することができる。抗菌剤は、上面シート中に浸透することができるような状態にある場合には、例えば上面シート上又は上面シート中に、スプレー、糊付け、印刷、スロットコートのようなコーティングをすることができる。また、抗菌剤は、抗菌剤を組み込んでいる繊維又はフィルムの使用によって適用することができる。疎水性材料による場合には、抗菌剤を備える要素又は部位にとって、第１の要素又は部位と使用者の皮膚との間の密接な接触を有することが重要である。また、抗菌剤は、疎水性材料と同じ方法で皮膚に移動することができ、よって着用者の皮膚上において作用する。菌の移動を妨害するために必要とされる適切な濃度は、抗菌剤の特性に強度に依存する。この濃度はｐｐｍからグラムまでの量とすることができる。当業者は、適切な量を選択して、望ましい抗菌効果を達成することができるであろう。
【００４２】
抗菌剤は多くの種類の微生物を殺すことができる。したがって、抗菌剤及び、よって第１の要素又は部位が生殖器及び尿道に接触せず、よって通常のこれら領域のフロラを妨害しないことが必須である。
【００４３】
酸性の抗菌剤は湿気によって活性化することができ、湿気は吸収性物品又は微生物妨害物品の中に所定の時間が経った後に、汗、月経液、尿、又は他の身体排出物のような態様で存在する。
【００４４】
肛門領域から泌尿生殖器領域に向かって移動する微生物は、第１の要素又は部位に備えられた抗菌剤によって抑制され及び／又は殺される。これは、泌尿生殖器領域における望ましくない菌の濃度が低く維持されるので、泌尿生殖器の感染症の危険を減少する。
【００４５】
抗菌剤は疎水性材料中に収容することができる。疎水性材料は、抗菌剤を保護するように選択することができる。このような場合、疎水性材料は抗菌剤を放散するように溶解可能であるべきである。溶解は、第１の要素が着用者の皮膚に接触したときに生じ得る。よって、疎水性材料の溶解温度は３７℃未満である。また、疎水性材料は収容材としてと、抗菌剤を着用者の皮膚に移動する材料としてとの両方として作用することができる。この場合、疎水性材料は第１の要素又は部位として使用される疎水性材料と同一の特性を有するべきである。疎水性材料は約３０〜３２℃において半固体とすることができる。さらに、疎水性材料は約３４℃まで半固体とすることができる。抗菌剤を収容することは、抗菌剤が使用前に何らかの理由で保護を必要とする場合に有益であり得る。１つの理由は、抗菌剤が湿気又は空気に対して敏感であるということである。
【００４６】
本発明の別の実施形態は、第１の要素又は部位が、菌のような微生物を捕獲するための正に帯電した材料を備える物品である。菌は負に帯電しており、よって正に帯電した材料に引き付けられ、結合する。正に帯電した材料の例は、変成された繊維である。このような繊維は特許文献５に開示されている。さらなる例は、正に帯電したポリマーで処理された不織材又はティシューのような材料である。好ましいポリカチオニックなポリマーは、プロトン化することができる窒素原子を含む機能グループを備える少なくとも１つのモノマーのホモポリマー又はコポリマーから好ましくは選択することができる。それらは直鎖又は分岐鎖構造を有することができる。
【００４７】
カチオンのポリエレクトロライトは、
ａ）カチオンのスターチ誘導体、セルロース誘導体、ペクチン、ガラクトグルコマンナン、キチン、キトサン、又はアルギネートのようなカチオニック又はカチオン性に変換されたポリサッカライド；
ｂ）任意的に変換されたユニットを備えるポリアリルアミンのホモポリマー又はコポリマー（ポリアリルアミンの好適な変換ユニットは例えば特許文献６により知られている）、特にポリ塩酸アリルアミン（ＰＡＨ）；
ｃ）ポリエチレンミン（ＰＥＩ）；
ｄ）任意的に変換ユニットを備えるポリビニルアミンホモポリマー又はコポリマー；
ｅ）それらのＮ−アルキル誘導体を含む、ポリ（ビニルピリジン）又はポリ（ビニルピリジニウム塩）のホモポリマー又はコポリマー；
ｆ）ポリビニルピロリドンのホモポリマー又はコポリマー、特許文献７に示されているポリ（塩化Ｎ，Ｎ−ジアリルーＮ，Ｎ−ジ−Ｃｉ−Ｃ４−アルキルーアンモニウム）のようなポリジアリルジアルキル、特にポリ（塩化Ｎ，Ｎ−ジアリル−Ｎ，Ｎ−ジメチルアンモニウム）（ＰＤＤＡ）；
ｇ）４級化されたジ−Ｃ  ｉ−Ｃ４−アルキル−アミノエチルアクリレート又はメタクリレートのホモポリマー又はコポリマー、例えばポリ（２−ハイドロキシ−３−メタクリロイルプロピルトリメチルアンモニウム塩）、又は４級化されたポリ（２−ジメチルアミノエチルメタクリレート又は４級化されたポリ（ビニルピロリドン−コ−２−  ジメチルアミノエチルメタクリレート）のようなポリ（（２−ハイドロキシ−３−メタクリロイルプロピル−トリ−Ｃｉ−Ｃ２−アルキルアンモニウム塩ホモポリマー；
ｈ）ポリ（ビニルベンジル−トリ−Ｃｉ−Ｃｈアルキルアンモニウム塩）、例えばポリビニルベンジル−トリ−メチルアンモニウムクロライド）；
ｉ）ジターシャリーアミン又は２級アミンとジハロアルカンとの反応によって形成された、脂肪族２ハロゲン化物又はアラリファティック（ａｒａｌｉｐｈａｔｉｃ）２ハロゲン化物、及び脂肪族Ｎ，Ｎ，Ｎ’，Ｎ７−テトラ−Ｃ１−Ｃ４−アルキル−アルキレンジアミン、例えば（ａ）プロピレン−１，３−２塩化物又は−２臭化物、又はパラキシレン２塩化物又は２臭化物、及び（ｂ）Ｎ，Ｎ，Ｎ’，Ｎ’−テトラメチル−ｌ，４−テトラメチレンジアミンを含むポリマー；
ｊ）特許文献８に開示されているＰＯＬＹＱＵＡＤ（登録商標）；又は、
ｋ）ポリアミノアミド（ＰＡＭＡＭ）、例えば直鎖ＰＡＭＡＭ、又はアミノ基で終端するＳｔａｒｂｕｒｓｔ（登録商標）ＰＡＭＡＭデンドリマー（Ａｌｄｒｉｃｈ）のようなＰＡＭＡＭデンドリマー；
ｌ）カチオニックアクリルアミドホモポリマー、又はコポリマー、及びそれら物質のポリ（アクリルアミド−コ−ジアリルジメチルアンモニウムクロライド）又はグリオキサール−アクリルアミド樹脂のような変成生成物；
ｍ）Ｎ−（ジアルキルアミノアルキル）アクリルアミドモノマーの重合によって形成されるポリマー；
ｎ）ジシアンジアミド、ホルムアルデヒド及びアンモニウム塩間の縮合生成物；
ｏ）ユリアホルムアルデヒド樹脂、メラミンーホルムアルデヒド樹脂、ポリビニルアミン、ポリウレイド−ホルムアルデヒド樹脂、グリオキサール−アクリルアミド樹脂、及びポリアルキレンポリアミンのスターチ及び様々な天然ゴムのようなポリサッカライドとの反応によって得られるカチオニック物質、及び窒素含有コンパウンド（例えばアンモニア、第１及び第２級アミン又は窒素含有ポリマー）をポリアミノアミド−エピクロロヒドリン樹脂、ポリアミン−エピクロロヒドリン樹脂、及びアミノポリマー−エピクロロヒドリン樹脂、例えば特許文献９に記述されているポリアミン−エピクロロヒドリン樹脂のようなエピクロロヒドリンと反応させることによって得られる、３−ヒドロキシアゼチジニウムイオンを含む樹脂のような製紙業において使用される典型的な湿潤紙力増強剤；
から選択される。好ましいポリカチオニックポリマーは、スターチ又はセルロース誘導体のようなカチオニック又はカチオニックに変換されたポリサッカライド、キチン、キトサン、又はアルギン酸塩、ポリアリルアミンホモポリマー又はコポリマー、ポリビニルアミンホモポリマー又はコポリマー、又はポリエチレンミン（ｐｏｌｙｅｔｈｙｌｅｎｅｍｉｎｅ）である。
【００４８】
１つの実施形態によれば、疎水性側鎖を有する正に帯電したポリマーは特に有利である。このポリマーは、スプレー、水溶液のロールコーティング又はスロットコーティングと次いで溶液の乾燥によって適用することができる。菌は繊維に付着し、所定の位置に留まる。菌の移動は、菌が第１の要素又は部位の中又は上に捕獲され、よって菌が繊維材料上に不動化されるので、減少されるか、又は防止される。着用者の皮膚上の菌の捕獲のためには、物品と会陰の皮膚との間の接触が必要とされる。
【００４９】
不動化効果は、菌の細胞壁と相互作用することができる機能グループを有する繊維を変換することによって作用させることができる。このような機能グループは、カチオングループとカルボニルグループとを含み、繊維材料の直接的化学変換によって繊維の中に導入することができる。機能グループの別の例は、アンモニウムグループ、フォスフォニウムグループ、サルフォニウムグループ、及び所定の金属含有グループである。これらグループは電気的に正である。機能グループは繊維の全体を通じて同じであっても良く、又は繊維が異なる機能グループを含むこともできる。
【００５０】
変換された繊維はセルロース繊維とすることができる。さらにまた、繊維は、ポリエステル、ポリプロピレン、ポリビニルアルコール、ポリアミド、ポリラクティックアシッド、及びその種のもののような合成繊維とすることができる。繊維は不織材又は職布材の所定の形状を形成することができる。
【００５１】
繊維は上面シートの一部として、すなわち部位として、又は正に帯電した材料のストリップとして、すなわち要素として配置し、次いで上面シート上に配置することができる。よって、正に帯電した材料は本発明による第１の要素又は部位中に配置される。当業者は適切な濃度を選択することができるであろう。特許文献１０は、正の帯電及びアルデヒド機能の適切な濃度の例を与えている。異なる材料に対して記載された濃度は、それがどの種の物品であるかに依存する。大きな失禁用物品は例えば、パンティライナーより大量の疎水性材料、抗菌剤、又は正に帯電した材料を必要とする。また、濃度は、第１の要素又は部位としてどの材料が使用されるかに依存して変化する。また、濃度に関しては、当業者はいずれの濃度が望ましい結果を得るために必要であるかを決定することができる。
【００５２】
ここで、第１の要素又は部位の設計を参照する。泌尿生殖器領域における大腸菌のような菌の存在は、肛門からの距離に依存する。大腸菌の優勢度は、大陰唇におけるより会陰において３倍高い。したがって、肛門と泌尿生殖器領域との間に妨害物、遮蔽物又は障害物を有することは非常に重要である。肛門と膣との間の距離は、異なる個人間において１〜４ｃｍである。第１の要素又は部位の大きさはこの測定値に適合される。
【００５３】
本発明の１つの実施形態によれば、第１の要素又は部位の側部境界１２６、２２６の間の距離は少なくとも２ｃｍである。この２ｃｍの距離は会陰の幅に非常によく対応し、この幅上を菌は移動することができる。側部境界１２６、２２６の間の２ｃｍの距離を有する第１の要素１２３、２２３又は部位は、着用者の会陰に対してぴったりと位置付けされた場合に、非常に良好な遮蔽材として作用する。第１の要素１２３、２２３又は部位は、会陰を通過する微生物の移動を減少させるか又は防止する。第１の要素１２３、２２３又は部位の側部境界１２６、２２６の間の距離の上限は、微生物妨害物品又は吸収性物品の幅に対応する。よって、第１の要素１２３、２２３又は部位の側部境界１２６、２２６は、物品の長手方向端辺１１３、１１４、２１３、２１４に一致する。物品の幅は、物品に応じて変化する。失禁ガードは例えばパンティライナーより幅が広くてよい。
【００５４】
１つの実施形態によれば、第１の要素１２３、２２３又は部位の前部境界１２４、２２４と後部境界１２５、２２５との間の距離は、少なくとも０．５ｃｍである。この距離は微生物の移動を防止するか、又は減少させるのに好適である。さらなる実施形態においては、前部境界１２４、２２４と後部境界１２５、２２５との間の距離は、どの微生物妨害技術が第１の要素又は部位に使用されるかに応じて、少なくとも１ｃｍ、若しくは、好ましくは２ｃｍとすることができる。また、それはどの種類の物品に第１の要素又は部位が使用されるかにも依る。前部境界と後部境界との間の距離は、微生物妨害物品においては４ｃｍまでとすることができる。それは、第１の要素又は部位が着用者の会陰領域の後まで延在することができるので、約５〜６ｃｍとすることさえできる。１つの実施形態によれば、第１の要素又は部位は、微生物妨害物品の上面シート全体を含むか、又は覆うこともできる。吸収性物品においては、第１の要素又は部位の前部境界と後部境界との間の距離は、微生物妨害物品と同様に４ｃｍまでとすることができる。さらに、前部境界と後部境界との間の距離は、約６ｃｍまでとすることができる。このような場合、第１の要素又は部位は、使用中に肛門領域まで後に、すなわち会陰領域の後に延在する。
【００５５】
本発明による第１の要素又は部位は、着用者の肛門から泌尿生殖器領域への微生物の移動に対する妨害物、遮蔽物又は障害物を提供する。微生物の移動は、微生物妨害物品若しくは吸収性物品と、着用者の皮膚の上の両方において防止される。着用者の会陰の皮膚と物品との間の密接な接触は非常に重要である。これによって、微生物の移動に対する遮蔽が形成されることが保証される。会陰の皮膚上の移動は、微生物を抑制する第１の要素又は部位との接触によって防止される。代替的に、第１の要素又は部位は、微生物妨害物質を着用者の皮膚に移動させることができる。これはまた、物品と着用者の皮膚との間の密接な接触を必要とする。
【００５６】
別の実施形態が図４に示されている。この生理用ナプキンは、図３における生理用ナプキンに部分的に対応し、図４の生理用ナプキンの所定の部分は示されていない。第１の微生物妨害要素３２３又は部位を有することに加えて、物品３１１はまた、前部境界３３０及び後部境界３３１と、２つの側部境界３３２、３３３とを有する第２の微生物妨害要素３２９又は部位を備え、第２の要素３２９又は部位は第１の要素３２３又は部位の後部境界３２５から後方へ延在している。第２の要素３２９又は部位の前部境界３３０はこの場合、第１の要素３２３又は部位の後部境界３２５に一致しているが、このことは必須ではない。第２の要素３２９又は部位の前部境界３３０は、第１の要素３２３又は部位の後部境界の前、若しくは後に配置することができる。よって、第２の要素３２９又は部位は、第１の要素３２３又は部位に部分的に重ねることができる。点Ａ、Ｂ、及びＣが図中にマークされており、これらは物品が使用される際の図１における点に対応している。
【００５７】
本発明による１つ実施形態においては、物品は、疎水性剤若しくは正に帯電した材料を備える第１の要素３２３又は部位と、抗菌剤を備える第２の要素３２９又は部位とを備えている。第２の要素３２９又は部位に抗菌剤を配置する理由は、所定の抗菌剤が泌尿生殖器領域における通常のフロラを妨害する場合があることである。よって、このような薬剤が肛門に近接し、よって泌尿生殖器領域における微小フロラを妨害する危険を減少する方が良い。抗菌剤は、肛門に近接している皮膚上の菌を抑制する。ヨードフォア（Ｉｏｄｏｐｈｏｒｅｓ）若しくは金属塩のような小さい分子は、泌尿生殖器領域から十分に遠く離れそれらの泌尿生殖器領域への移動と、続く膣のフロラの妨害が最小となるので、第２の要素３２９又は部位に最適に配置される。
【００５８】
第２の要素又は部位は、第１の要素又は部位と同一の寸法、すなわち前部境界と後部境界との間の距離が少なくとも０．５ｃｍ、及び別の実施形態に置いてはその距離が少なくとも１．０ｃｍ又は少なくとも２．０ｃｍの寸法を有する。側部境界の間の距離は少なくとも２ｃｍである。
【００５９】
図７に示すように、第３の要素６５０もまた、吸収層６５３の中に配置されている。図７の実施形態は生理用ナプキンである。第３の要素６５０は、吸収性物品６１１の長手方向端辺の間に延在するとともに上部シート６１２と下部シート６５２との間に垂直に延在するフィルム又は層の形状となっている。第１の要素６２３又は部位は上部シート６１２上に示されている。肛門からの微生物は、吸収層６５３を通じて対応する肛門領域から対応する泌尿生殖器領域へ移動することができる。これを妨害するために、吸収層６５３中に位置づけられた第３の要素６５０は、泌尿生殖器領域に対応する吸収層を微生物汚染から保護している。第３の要素６５０は、ポリエチレンのフィルムのようなプラスティックフィルムとすることができ、微生物がプラスティックフィルムの別の側に移動するのを妨げる。よって、第３の要素６５０によって分割された吸収層の部分間には液体又は微生物の移動はない。また、第３の要素６５０は、上述のような正に帯電した材料を備える繊維層とすることができる。よって、菌は上述のように正に帯電した材料に引き付けられる。また、第３の要素６５０は変換された繊維を備えることができ、正に帯電した繊維又は金属塩若しくはトリクロサンを組み込まれた繊維とすることができる。繊維は天然又は合成繊維とすることができる。さらに、図１に対応する点Ａ、Ｂ、及びＣが示されており、中央線６２０もまた示されている。また、股部分の前部境界６２７及び後部境界６２８は、図７の物品における第１の要素６２３及び第３の要素６５０の位置を図示するように示されている。また、股部分は前部分６２１と後部分６２２とに分割されている。
【００６０】
物品は、１つ若しくはいくつかの本発明による第１、第２、又は第３の要素又は部位を備えることができる。
【００６１】
妨害要素又は部位が着用者の泌尿生殖器領域に接触しないようにすることが重要である。このことは、要素又は部位が抗菌剤を備えている場合には特に重要である。この理由は上述したものと同一、すなわち、泌尿生殖器領域における天然フロラが妨害される場合がある、ということである。天然の健康な膣のフロラは、感染症に対する防御の重要な部分である。さらに、物品の吸収能力は、材料又は薬剤が吸収性物品の上面シートの大部分を覆っている場合には、負の方向に影響される。しかし、微生物妨害物品と吸収性物品との間には違いがある。微生物妨害物品は必ずしも液体を吸収する必要はなく、吸収性物品に比較して小さい。このことは、第１の要素又は部位が泌尿生殖器領域ではなく会陰領域に対して位置付けられるように微生物妨害物品を配置することがより容易であるということを意味している。よって、材料又は薬剤は泌尿生殖器領域を妨害することはない。したがって、第１の要素又は部位は、微生物妨害物品の上面シート全体を含むか、又は覆うことができる。
【００６２】
要素又は部位は、プラスティックフィルムのような保護カバー又はフィルムで保護することができる。これにより、例えば疎水性材料が流れ出すのを防止し、抗菌物質が物品の別の部分へ移動しないように保護することができる。また、要素又は部位は、所定の理由のために湿気又は空気に敏感である場合に、環境から保護され得る。カバーフィルムは使用前に取り外されるべきである。
【００６３】
本発明による物品は、下面シート上であって、上面シートから離れるように方向付けられた側部上に接着剤の形態の取り付け装置を備えることができる。接着剤は、物品の使用中に着用者の下着パンツに取り付けるために使用される。接着剤は感圧性ホットメルト糊とすることができる。しかし、市場で入手可能な別の感圧性接着剤、及び、アクリレート糊のような冷たい状態で感圧性を有する、通常はポリテルペン又はホットメルト糊のような糊の粘つきを大きくする添加剤と混合された、スチレン及びブタジエンコポリマーのような接着剤を使用することが可能である。取り付け装置は、当業において既に知られているもののような装置を使用することができる。さらに、取り付け装置は保護フィルムによって覆うことができる。吸収性物品の包装された状態において、接着装置は例えばシリコーンでコーティングされた紙で覆われており、接着装置をごみ及びその種の物体のような汚染に対して保護し、接着剤が使用前に乾燥してしまわないように防止している。吸収性物品は、中央保護層を有利に設けられており、この保護層は吸収性物品が下着パンツの内側及び接着剤の保護層に固定されるまで取り外されることはなく、保護層は下着パンツ中に物品を位置づけする前に取り外される。
【００６４】
微生物妨害物品は、上述したように着用者の下着パンツ又は衣服、若しくは着用者に取り付けることができる。微生物妨害物品が着用者に取り付けられる場合には、会陰に対して配置されるように意図される。物品を使用している女性は、どこから会陰が始まるか、すなわち膣のすぐ後であることを知るのが容易であるので、それをどのように配置するかを感じることができる。よって物品は、上面シート全体又は部分を覆う接着剤又は粘着剤の形状の、上面シート上の取り付け装置を備えることができる。粘着剤は上面シート上に縞状に又は点状に適用することができる。粘着剤は、例えばペクチンなどのポリサッカライドとすることができる。粘着剤として使用する薬剤の別の例はａｌｇｉｎａｔｅである。粘着剤中における微生物の望ましくない成長を回避するために、粘着剤は５より低いｐＨを有するべきである。これは、酸の形態のｐＨ低下剤を添加することによって達成することができる。
【００６５】
代替的に、キトサン、又は過酸化物のような抗菌剤を添加することができる。また、シリコーンゲルは取り付けのための接着剤として上面シートの端部又は部分の上のいずれかに使用することができる。また、上述した着用者の皮膚への取り付けを、物品がパンティライナーである場合には、吸収性物品とともに使用することができる。しかし、パンティライナーは好ましくは会陰に対する正しい位置付けのための所定の種類のマーキングを設けられる。
【００６６】
微生物妨害物品は詰綿の形状とすることができる。詰綿は、疎水性材料又は詰綿中に組み込まれた抗菌剤を有することができるか、又はそのような材料若しくは薬剤でコーティングすることができる。さらに、詰綿は上述のように変換された繊維のような正に帯電した材料から形成されるか、又は正に帯電した材料でコーティングすることができる。
【００６７】
また、本発明は、物品が使用中に着用者の泌尿生殖器領域に接触する領域の少なくとも１部に乳酸を生産する菌を備える、実施形態に関する。乳酸を生産する菌を備えるこの領域部分は、股部分の中央線の前方に位置する。さらに、本発明は、物品が股部分の前方部分に乳酸菌を備える実施形態にも関している。コレラ菌は着用者自身の防衛システムを、積極的微小フロラに貢献することによって強化し、同時に第１の要素又は部位が、肛門から泌尿生殖器への微生物の移動を防止するか、又は減少させる。
【００６８】
物品及び製品は、従来の包装に包装することができる。要素又は部位が湿気に敏感である場合には、包装が水及び湿気に対して非透過性であることが重要である。
【００６９】
吸収性物品のどの部分が前部分であるかが明瞭でない場合には、そのことが使用者に説明されなければならない。例えば、それは物品上に示すことができる。これは、簡単なマークとすることができ、前部分又は後部分を示す。別に、妨害要素又は部位は、所定の種類のマーキング又は色付けによってマークすることができる。第１の要素又は部位がマークされることが好ましく、このことは後述されるように本発明による別の目的を有することができる。
【００７０】
前述のように、微生物妨害物品又は吸収性物品が着用者の正しい部分に位置付けられることは非常に重要である。第１の微生物妨害要素又は部位は、要素又は部位が作用するべきであるのが会陰領域内であるので、会陰に対して配置されるべきである。さらに、泌尿生殖器領域における通常のフロラに対して破壊的であるので、物品が使用される場合に、要素又は部位が泌尿生殖器領域に接触しないことが重要である。物品の第１の要素又は部位を着用者の会陰に対して正しく位置決めするために、第１の要素１２３又は部位が設けられる上面シートに描画又は色付けの形態のマーキングを設けることができる。物品の形状が自動的に正しい配置を保証しない場合には、マーキングが必要とされる場合がある。図面を参照すると、これらマーキングと色付けとは第１の要素又は部位に一致していても良い。物品を位置決めする際に、女性は、マーキング又は色付けられた部分のすぐ下の下面シート上に指を置くことができる。次いで、女性は、物品を指と会陰との間に有するように指を会陰に位置決めする必要がある。１つ以上の要素又は部位が使用される場合には、第１の要素又は部位は会陰に位置決めされるべきである。
【００７１】
別の実施形態によれば、描画又は色付けの形状のマーキングは下面シートの着用者に面していない側であって、上面シートの第１の要素又は部位に対応する場所に設けることができ、よって物品の第１の要素１２３又は部位を着用者の会陰に位置決めする。このような実施形態においては、女性はまた、指をマーキング上であるがマーキングのあるのと同じ側に置くことができ、次いで指を会陰に位置決めし、物品を指と会陰との間に位置決めすることができる。また、マーキングは微生物妨害物品上に使用することができる。
【００７２】
また、マーキングは触覚性とすることができる。例えば、マーキングは粗面、ブツブツのある面、又は湾曲した面を有することができ、よって使用者が物品の位置決めの間に指をマーキング上に保持するのを容易とし、よって第１の要素又は部位は着用者の会陰に位置決めされる。また、マーキングは指を収容するように設計された浅い凹部の形状とすることができる。
【００７３】
生理用ナプキンの形状の吸収性物品及び図５を参照すると、生理用ナプキンは生殖器を図示する人間の女性の解剖学的断面図とともに示されている。本発明の１つの実施形態によれば、物品４１１は後部分に肛門領域こぶ部４４０をさらに備え、肛門こぶ部は前境界４４１及び後境界４４２、及び図示されていない２つの側部境界を有している。肛門こぶ部４４０は使用中に着用者の肛門３にぴったり合うように意図され、よって使用中に第１の要素４２３又は部位を着用者の会陰に位置合わせし、肛門こぶ部４４０の前境界４４１と股部分４２１の中央線４２０との間の距離は少なくとも１ｃｍであり、肛門こぶ部４４０の前境界４４１と後ろ境界４４２との間の距離は少なくとも約０．５ｃｍである。肛門こぶ部は、物品の基体のレベルに比べると少なくとも０．５ｃｍの高さを有し、基体のレベルはここでは平坦な物品に対する上面シートのレベルに対応している。こぶ部は一般に知られており、当業者はどのようにこぶ部を構成するかを知っているが、ここで、その位置は本発明によれば非常に重要である。股部分４１９は、図に示すように前境界４２７と後境界４２８との間にある。
【００７４】
上述のように、肛門こぶ部を有する目的は、肛門に対してフィットすることである。これにより、第１の要素又は部位を使用中に会陰に対して配置するという目的を達成できる。吸収性物品を使用する女性は、肛門こぶ部が肛門に対してフィットしていない場合には物品の着用感が快適でないので、物品が正しくフィットしていないかどうかを感じることができる。この実施形態は、肛門から泌尿生殖器領域への方向における皮膚上の微生物の移動が防止される又は軽減されるということを保証する。吸収性物品の構造は、着用者の会陰に対する第１の要素又は部位の接触を保証する。皮膚上の移動は、よって防止される。
【００７５】
図６に示されている生理用ナプキンの形状の別の実施形態として、物品５１１は前境界５４４及び後境界５４５と、２つの側部境界とを有する膣こぶ部を備えている。膣こぶ部５４３は使用中に着用者の膣に対してフィットするように意図されており、よって第１の要素５２３又は部位を使用中に着用者の膣に位置合わせしている。膣こぶ部５４３の後境界５４５は股部分５２１の中央線５２０の約前０．５ｃｍ〜後０．５ｃｍに位置しており、膣こぶ部５４３の後境界５４５と前境界５４４との間の距離は少なくとも約０．５ｃｍである。後境界５４５と前境界５４４との間の距離は約０．５〜１０ｃｍとすることができ、１つの実施形態によれば０．５ｃｍ〜３ｃｍである。こぶ部の高さは約０．３〜２ｃｍである。側部境界間の距離は約０．５〜２ｃｍである。
【００７６】
膣こぶ部を有する目的は、膣に対してフィットすることである。これにより、第１の要素又は部位が使用中に会陰に対して配置されることを保証する。吸収性物品を使用する女性は、膣こぶ部が膣に対してフィットしていない場合には物品の着用感が快適でないので、物品が正しくフィットしていないかどうかを感じることができる。
【００７７】
また、物品は２つのこぶ部を備えることができ、一方は膣に、もう一方は肛門に対してフィットさせることができる。
【００７８】
既に述べたように、股部分は着用者の股に対して配置されることを意図されている。股部分は、吸収性物品がどのように構成されているかに応じて物品中に異なって配置される。例えば吸収性物品が図２におけるように対称である場合には、股部分の中央線１２０は吸収性物品の中央に位置する。物品の中央は物品の前端辺と後端辺とを互いに対して折りたたむことによって容易にわかる。
【００７９】
さらに、吸収性物品が砂時計の形状を有する場合には、股部分１２１の中央線１２０は、物品の長手方向側端辺間の距離が最も小さいところに位置する。
【００８０】
図８には羽根部７５５を有する生理用ナプキン７１１が示されており、羽根部７５５は使用中に下着パンツの股の周りに折りたたんで使用される。羽根部は生理用ナプキンを下着パンツの正しい位置に保持し、羽根部が、液体が端辺から漏れ出て下着パンツに達しないように保護するので、下着パンツは体液から保護される。股部分７１９は、前部分７２１と後部分７２２とを有するように示されている。前部境界７２４及び後部境界７２５を有する第１の微生物妨害要素７２３又は部位は、前部境界７２４が股部分７１９の後部７２２に位置するように配置されている。第１の要素７２３又は部位の前境界７２４は、股部分７１９の中央線７２０から約０．５〜３ｃｍに位置している。この実施形態においては、羽根部は第１の要素又は部位を会陰に対して位置合わせするのを助けている。吸収性物品の股部分７１９は、羽根部間に位置している。羽根部は、中央線７５６によって分割され、前部分７５７と第２の部分７５８とに分かれている。羽根部を備える吸収性物品が使用される場合には、羽根部７５５の中央線７５６は吸収性物品の股部分の中央線７２０にほぼ一致するか、又は股部分７１９の中央線７２０が羽根部の中央線の約１ｃｍ前までに位置する。羽根部７５５は下着パンツの股部分に対して位置合わせされ、これは吸収性物品の股部分７１９が着用者の股に位置合わせされることを意味している。このことは、第１の微生物妨害要素７２３又は部位が、会陰に位置合わせされ、よって正しい配置が保証されることを保障している。
【００８１】
図９には、Ｔバック式下着用のパンティライナーの形状の実施形態が示されている。物品は２つの本質的に長手方向の側端辺８１３、８１４、１つの本質的に横方向の前端辺８１５、及び１つの本質的に横方向の後端辺８１６を備えている。この物品は前部分８１７と、後部分８１８と、前部分８１７と後部分８１８との間に配置された股部分８１９とを備えている。股部分は、中央線８２０によって前部分８２１と後部分８２２に分割されている。この物品は、前境界８２４、後境界８２５、及び２つの側部境界８２６を有する少なくとも１つの第１の微生物妨害要素８２３又は部位を備え、この第１の要素８２３又は部位は使用中には着用者の会陰に対して配置されるように意図されている。第１の要素８２３又は部位は、第１の要素８２３又は部位の前境界８２４が、股部分の後部に、股部分の中央線８２０の後約０．５〜３ｃｍにおいて位置するように配置されている。既述のように、吸収性物品の第１の要素又は部位と着用者の会陰における皮膚との間に良好な接触が達成されることが重要である。また、接触は良好な状態に維持され、製品の使用中の微生物の移動に対する遮蔽が維持されることが重要である。したがって、吸収性物品又は微生物妨害物品が３次元の形状を有することは有利である。物品が、使用者に対して向いている側において、３次元の形状を有する場合、それは使用者の会陰の領域に配置される物品の１部分において特に膨出するような形状を有する必要がある。このことは、物品を会陰に対して常に接触させるようにしている。
【００８２】
３次元の形状を有する微生物妨害物品の例は、物品の中央において長手方向における折り畳みを備える微生物妨害物品であり、よって膨出部は物品の上面シート上で、長手方向においてこの折り畳みによって達成される。
【００８３】
さらに、３次元の形状を有する本発明による吸収性物品の１つ実施形態が図１０に示されている。図１０は吸収性物品を開示しており、この物品は、長手方向及び横方向と、前部分９１７と、後部分９１８と、後部分と前部分との間に配置された股部分９１９と、吸収層及び液密層と、固定要素９６１とを有し、固定要素は物品の使用中に物品の３次元形状に寄与するように意図されている。固定要素９６１は物品の使用前は平坦な状態にあり、股部分９１９上及び、少なくとも幾分かは前部分９１７上に物品の長手方向に延在している。さらに、固定要素９６１は股部分９１９と前部分９１７との間の遷移領域において約２．５〜４．５ｃｍである幅Ｍを有し、この固定要素は着用者の股の両側における着用者の筋腱の間の距離に適用され、股部分９１９は約７〜１２ｃｍの長さＧを有している。製品の前部分９１７における固定要素９６１の両側端辺は、股部分９６１から少なくとも幾分か前部分９１７に広がり、固定要素９６１の両側端辺は、股領域からの方向において、製品の長手方向における線と鋭角（α）を形成する。さらに物品は、第１の要素９２３又は部位の前境界９２４が股部分９１９の中央線９２０の約０．５〜３ｃｍ後ろの股部分９１９の後部分９２２中に位置するように配置された、第１の微生物妨害要素９２３又は部位を備えている。よって、股部分の中央線９２０は、羽根部の中央線９６３の前方の点に位置付けされる。
【００８４】
物品は、前部分と筋腱の間に配置された股部分との間の遷移領域におかれることに関連して位置付けされる。物品は筋腱の間に固定されるべきであり、平坦な形状から、前部分が股部分に対して上方に湾曲し、少なくとも股部分に隣接する領域において椀状の形状を形成する３次元の形状へと変換される。この３次元の形状によって、第１の要素又は部位は着用者の皮膚に常に接触した状態を保ち、微生物遮蔽部が物品の使用の間維持される。会陰の皮膚上の微生物の移動は、よって防止されるか、又は減少される。
【００８５】
物品の使用中には、後部分９１８は線Ｌに沿って折り畳まれている。３次元の吸収性物品のさらなる実施形態は、特許文献１１に開示されており、これは参照によってここに組み込まれている。そこに記載された全ての女性の使用のための実施形態は、本発明による微生物妨害要素又は部位とともに使用することができる。
【００８６】
固定要素は、密度０．１５〜０．７５ｇ／ｃｍであり約１００〜４００ｇ／ｍの単位面積当たりの重量を有する、乾燥形成された繊維マットから構成することができる。それは、セルロース繊維及びビスコース繊維の混合物から構成することができ、また、融解合成繊維を含むことができる。
【００８７】
本発明による物品及び製品は、従来の包装に包装することができる。要素又は部位が湿気に対して敏感である場合には、包装が水不透過性及び湿気不透過性であることが重要である。また、上述の微生物妨害物品は、生理用ナプキン、パンティライナー、又は失禁ガードのような吸収性物品と共に使用することができる。生理の間に微生物妨害物品を必要とする女性もいる。また、生理の間に彼らは吸収性物品をもまた必要とする。多くの女性は、通常パンティライナー又は失禁ガードを使用する。よって、微生物妨害物品を吸収性物品と共に使用することが便利である。
【００８８】
よって、本発明はさらに、肛門領域から泌尿生殖器領域への微生物の移動を予防するか、又は軽減するためのキットに関し、このキットは、ａ．生理用ナプキン、パンティライナー、又は失禁ガードのような吸収性物品であって、使用中には着用者に対して方向付けられるように意図される液体透過性の上面シートと、使用中には着用者の下着パンツに対して方向付けられるように意図される液体不透過性の下面シートとを備え、長手方向と横方向と、２つの本質的に長手方向の側端辺と、１つの本質的に横方向の前端辺と、１つの本質的に横方向の後端辺と、前部分と、後部分と、後部分と前部分との間に配置された股部分とを有する吸収性物品において、股部分が中央線によって前部と後部とに分割されており、股部分は約７〜１２ｃｍの長さを有し、吸収性物品が請求項２〜１２のいずれか一項による微生物妨害物品を位置合わせするためを意図された上面シート上のマーキングを有し、よって第１の要素又は部位は使用中には着用者の会陰に対して配置されて、物品の後端部から前端部への方向における微生物の移動を防止するか又は減少させる、吸収性物品と、ｂ．請求項２〜１２に記載のいずれか一項に記載の微生物妨害物品であって、吸収性物品の上面シートに取り付けられるように設計され、よって第１の要素又は部位は使用中に着用者の会陰に対して配置される、微生物妨害物品と、を備えている。上述したのと同じ材料及び薬剤が使用され、物品は、第１の要素又は部位が上述のように会陰に対して配置されるように、位置付けられなければならない。
【００８９】
微生物妨害物品がキットのために吸収性物品と共に使用される場合、微生物妨害物品は、着用者から離れる方向に意図された側の背面シート上に取り付け装置を有することができる。取り付け装置は、背面シートの端辺上の接着剤の形状、又は取り付け装置上のストリップの形状とすることができ、又は背面シート全体を接着剤で覆うことができる。接着剤は保護カバーで覆うことができ、保護カバーは使用前に取り除かれるべきである。
【００９０】
いくらかの女性にとって、既存の吸収性物品を、吸収性物品に適用する、微生物の移動を防止し又は軽減するための成分と共に使用することが便利である。さらに、抗菌剤は環境の影響に対して敏感である場合があり、吸収性物品から離隔される場合がある。
【００９１】
これは、使用中に肛門領域から泌尿生殖器領域への微生物の移動を防止するか、又は軽減するためのキットによる本発明によって解決され、このキットは、ａ．生理用ナプキン、パンティライナー、又は失禁ガードのような吸収性物品であって、使用中は着用者に対して向けられるように意図される液体透過性の上面シートと、使用中は着用者の下着パンツに対して向けられるように意図される液体不透過性の下面シートとを備え、２つの長手方向側端辺、１つの本質的には横方向の前端辺、１つの本質的には横方向の後端辺、前部分、後部分、及び後部分と前部分との間に配置された股部分を有し、股部分は中央線によって前部と後部とに分割されているとともに約７〜１２ｃｍの長さを有し、吸収性物品はマーキングを有し、マーキングは前境界、後境界、及び２つの側部境界を有し、マーキングは使用中には着用者の会陰に対して配置されるように位置付けられていると共に微生物の移動を防止するか又は軽減するための成分を適用するように意図されている、吸収性物品と、ｂ．微生物の移動を防止するか、又は軽減するための成分であって、疎水性薬剤及び抗菌剤、又はそれらの混合物を備える成分と、ｃ．吸収性物品の上面シート上のマーキングの上に成分を適用するための突起、ブラシ、又はペグのような手段と、を備えている。
【００９２】
成分は、上述した疎水性材料及び抗菌剤から選択することができ、上面シートにおけるマーキング上に適用されるべきであり、マーキングは、第１の要素又は部位が上述の物品に配置されている場所に対応すべきであり、第１の要素又は部位は使用中に着用者の会陰に対して配置されるべきである。上述のキットにおける、部位、要素、又はマーキング、及び材料の位置付けは、後述する吸収性物品及び微生物妨害物品に関して記載されるのと同じであることを意図されている。
【００９３】
本発明の使用を通じて、物品と会陰との間の密接な接触が達成され、遮蔽が達成され、かつ維持される。
【００９４】
本発明によれば、疎水性材料、抗菌剤、及び正に帯電した物質のような少量の微生物妨害物質は大きな効果を有することができる。物品全体が処理される必要はないが、それでもやはり肛門から泌尿生殖器領域への微生物を防止する、又は軽減する非常に良好な効果を有している。少量の使用量は、物品又は製品を着用する女性にとって、大量の添加材料に触れる必要が無く、健康な泌尿生殖器のフロラが妨害されないので、有利である。さらに、物質が上面シート全体に適用される必要がない場合にはコストを削減することができる。
【図面の簡単な説明】
【００９５】
【図１】人間の女性の性器を示す解剖学的断面図である。
【図２】上部から見た本発明による生理用ナプキンの形態の吸収性物品の図である。
【図３】上部から見た本発明による微生物妨害物品の図である。
【図４】本発明による生理用ナプキンの別の実施形態の図である。
【図５】本発明の１つの実施形態による吸収性物品の断面図と、人間の女性の性器を図示する断面図とである。
【図６】本発明の更なる実施形態による吸収性物品の断面図である。
【図７】本発明の１つの実施形態による生理用ナプキンの断面図である。
【図８】本発明による生理用ナプキンの図である。
【図９】本発明のパンティライナーの図である。
【図１０】剛化要素を有する本発明による生理用ナプキンの図である。
【符号の説明】
【００９６】
１１２、２１２、６１２・・・上面シート
１１１、２１１・・・吸収性物品
１１３、１１４、２１３、２１４・・・長手方向の側端辺
１１５、２１５・・・前端辺
１１６、２１６・・・後端辺
１１７、２１７・・・前部分
１１８、２１８・・・後部分
１１９・・・股部分
１２０・・・中央線
１２１・・・前部
１２２・・・後部
１２４、２２４、３３０・・・前境界
１２５、２２５、３３１・・・後境界
１２６、２２６、３３２・・・側部境界
１２３、２２３、３２３・・・第１の微生物妨害要素、第１の微生物妨害部位
３２９・・・第２の微生物妨害要素、第２の微生物妨害部位
６５０・・・第３の微生物妨害要素、第３の微生物妨害部位
６５３・・・吸収性層
【図１】
2009519805.tif 000003
【図２】
2009519805.tif 000004
【図３】
2009519805.tif 000005
【図４】
2009519805.tif 000006
【図５】
2009519805.tif 000007
【図６】
2009519805.tif 000008
【図７】
2009519805.tif 000009
【図８】
2009519805.tif 000010
【図９】
2009519805.tif 000011
【図１０】
2009519805.tif 000012
【国際調査報告】
2009519805.tif 000013
2009519805.tif 000014
2009519805.tif 000015
2009519805.tif 000016
2009519805.tif 000017